(57)【要約】【課題】  野菜類を栽培する野菜畝間に沿ってクローラ走行する高床作業車は、このクローラの後端部が上転輪から下転輪にわたって前下り傾斜に形成の形態では、畝上面の横側端へ張出された野菜の一部が接触し易く、クローラの側端縁部等でこの野菜を上側から係合して下側後位の走行地面に向けて掻込んで敷込み易くなり、作物を損傷し易くなる。又、このクローラの前端部が垂直状に長設される形態にあっても、このクローラの後端垂直部での後側に係合する野菜は、上下に逃げ難い状態となって、後側へ押し移動され易く、損傷を受け易い。【解決手段】  クローラ１の後端部を巻回張設する端部転輪２を、この上下に配置の上転輪３及び下転輪４よりも後方へ突出させて、このクローラ１の端部に、該上転輪３から端部転輪２にわたる後下り傾斜部５と、この端部転輪２から下転輪４にわたる前下り傾斜部６を形成した２とを特徴とする高床作業車のクローラの構成とする。【選択図】図１
2006111033.tif 000002
【特許請求の範囲】
【請求項１】
クローラ（１）の後端部を巻回張設する端部転輪（２）を、この上下に配置の上転輪（３）及び下転輪（４）よりも後方へ突出させて、このクローラ（１）の端部に、該上転輪（３）から端部転輪（２）にわたる後下り傾斜部（５）と、この端部転輪（２）から下転輪（４）にわたる前下り傾斜部（６）を形成したことを特徴とする高床作業車のクローラ。
【発明の詳細な説明】
【技術分野】
【０００１】
この発明は、クローラの走行方向後端部での、畝上面に植生された野菜類の接触損傷を少くするように張設する高床作業車のクローラに関する。
【背景技術】
【０００２】
クローラの後端部を上転輪と、これよりも前位の下転輪とで、前下り傾斜に張設するのが一般的技術（例えば、特許文献１参照）であるが、野菜栽培の畝間に沿って回転走行する高床作業車用のクローラは、後端部を前後同位の上転輪と下転輪との間に垂直状に張設する技術がある。
【特許文献１】特開平１１−８２７３３号公報（第１項、図１）
【発明の開示】
【発明が解決しようとする課題】
【０００３】
野菜類を栽培する野菜畝間に沿ってクローラ走行する高床作業車は、このクローラの後端部が上転輪から下転輪にわたって前下り傾斜に形成の形態では、畝上面の横側端へ張出された野菜の一部が接触し易く、クローラの側端縁部等でこの野菜を上側から係合して下側前位の走行地面に向けて掻込んで敷込み易くなり、作物を損傷し易くなる。又、このクローラの後端部が垂直状に張設される形態にあっても、このクローラの後端垂直部で後側に係合する野菜は、上下に逃げ難い状態となって、後側へ押し移動され易く、損傷を受け易い。
【課題を解決するための手段】
【０００４】
請求項１に記載の発明は、クローラ１の後端部を巻回張設する端部転輪２を、この上下に配置の上転輪３及び下転輪４よりも後方へ突出させて、このクローラ１の端部に、該上転輪３から端部転輪２にわたる後下り傾斜部５と、この端部転輪２から下転輪４にわたる前下り傾斜部６を形成したことを特徴とする高床作業車のクローラの構成とする。クローラ１は後端部が上転輪３、端部転輪２、及び下転輪４等に案内されて駆動走行される。このときクローラ１の後端部は、上転輪３の後周面から端部転輪２の後周面に向けて後下り傾斜部５を移行し、この端部転輪２から下転輪４の後周面に向う前下り傾斜部６を移行する。このクローラ１の後下り傾斜部５は端部転輪２よりも高い位置にあって、畝上の野菜等の作物に接触し易いものであるが、この野菜等に接触しても、この後下り傾斜部５の傾斜縁と、クローラ１の後進とによって、接触する野菜を外側へ逃し易く、端部転輪２部を越えて下側の前下り傾斜部６への掻込みを阻止する。又、この前下り傾斜部６は、左右の畝間の走行溝部を踏圧して走行するとき、凹凸部があっても乗越走行を円滑に行うことができる。
【発明の効果】
【０００５】
請求項１に記載の発明は、クローラ１の後端部が、高位置の端部転輪２よりも上側において後下り傾斜部５と、下側において前下り傾斜部６を形成するため、野菜畝間部を接地回転して走行するとき、走行土壌面の凹凸面の乗越走行を円滑に行うと共に、畝上の野菜と接触しても、この野菜を後下り傾斜部５の傾斜に沿って外側へ逃すようにして、端部転輪２部を越えて前下り傾斜部６への掻込みや、巻込み等を少くすることができ、野菜の損傷を少くすることができる。
【発明を実施するための最良の形態】
【０００６】
図面に基づいて、高床形態の作業車として、左右一対のクローラ１を配置した車台１０を構成し、この後端一側部にエンジン１１を搭載して、これらクローラ１を伝動して走行するように構成している。このエンジン１１の後方にはループ状のハンドル１２を設ける。車台１０は荷物を載せて運搬できるもので、右側には車幅調節可能の側部車台１０Ａを設け、車台１０との間にわたる伸縮可能のシリンダ１３を設けて、ハンドル１８の回動操作によって、このシリンダ１３を伸縮して側部車台１０Ａを車台１０に対して左右へ移動し、車台幅を広狭に変更することができる。又、クローラ１は、これら左右の車台１０，１０Ａに設けられて、この車台幅の変更と同時に、トレットをも変更可能に構成している。又。この作業車の運転操作を行うための走行クラッチレバー１４や、サイドクラッチレバー１５、及び変速レバー１６等は、エンジン１１の上部に設けられる操作パネル１７に配置している。又、走行クラッチレバー１４とサイドクラッチレバー１５は、車台１０の前端部にも設けて、車台１０前後いずれの側からでも操作可能の構成としている。図例における車体の後進方向Ｒは、ハンドル１２やエンジン１１を設ける側を後端として、この方向への走行方向としている。
【０００７】
車台１０のエンジン軸２０から伝動ケース２１内の伝動機構を介して、この車台１０前端部の出力軸２２を連動する。この出力軸２２は側部車台１０Ａにわたって軸装されて、この側部車台１０Ａの左右移動に伴ってスプライン軸形態等で伸縮して回転伝動する。この出力軸２２の左右両端部からチェン２３を介して、各車台１０，１０Ａのクローラ１のスプロケット軸３９に連動する。
【０００８】
各車台１０，１０Ａの下側には支持脚２５を介して前後方向のトラックフレーム２６が設けられる。この左右の各トラックフレーム２６に前後の端部転輪２，２７や、スプロケット３からなる上転輪、下転輪４、及び接地転輪２８等が軸受配置されて、ゴム製のクローラ１を巻掛ける。このスプロケット３を伝動することによって、クローラ１を各転輪２７，４，２８等に案内させて駆動することができる。このクローラ１は接地転輪２８や下転輪４等で支持案内される底辺部を接地させて走行する構成である。クローラ１の前端部を巻掛ける端部転輪２７は、トラックフレーム２６に対して前後移動調節される調節ブラケット３０に軸支され、調節軸３１を回動することによって端部転輪２７を移動させてクローラ１の張圧力を調節できる。各接地転輪２８の配置される接地辺部に沿って、クローラ１内周の中央部に突出形成される芯金案内片３２を摺動案内させるガイドスライダ３３をトラックフレーム２６に設ける。又、このトラックフレーム２６の前後端部には、該芯金案内片３２の外側部を案内するガードプレート３４，３５を設けて、クローラ１内周部への石や土砂等の吸込みを防止することができる。このガードプレート３４は、トラックフレーム２６後端部の端部転輪２と下転輪４との間においてクローラ１の内周面に接近させている。又、ガードプレート３５は、トラックフレーム２６前端部の端部転輪２７と前端接地転輪２８との間に同形態にして設けられる。これら下転輪４や前端接地転輪２８に近いクローラ１の傾斜回転する部方への石や土砂等の吸込みを阻止すると共に、外側へ排除する。
【０００９】
これら左右のクローラ１の後端部は、トラックフレーム２６の後端部に固定されたガードプレート３４部に、端部転輪２と下転輪４が転輪軸３６，３７の周に回転自在に設けられ、各々クローラ１の芯金案内片３２の内側又は外側を案内する。又、これらの転輪２，４の上方には、トラックフレーム２６に取付けられたブラケット３８にスプロケット３軸３９が軸装される。端部転輪２は上側の上転輪であるスプロケット３と下転輪４と間に設けられて、これらの間の高さの中央位置よりも低位側で、下転輪４側に接近する位置に設けられる。しかも、いずれのスプロケット３及び下転輪４よりも後側に張出した位置に設けられる。また、スプロケット３は端部転輪２と下転輪４との前後方向の中間部上方に設けている。このようなスプロケット３と、端部転輪２、及び下転輪４の周りにわたって巻回されるクローラ１は、この上部のスプロケット３と端部転輪２との間を後下り傾斜に向けて回転させる後下り傾斜部５を形成する。又、この端部転輪２と下転輪４との間を前下り傾斜に向けて回転させる前下り傾斜部６を形成する。これら後下り傾斜部５は前下り傾斜部６よりも長く、急傾斜に設定されている。
【００１０】
前説スプロケット３の駆動によってクローラ１が各転輪２，４，２８，２７等に案内回転されて、接地転輪２８や下転輪４に沿って踏圧案内される接地辺部を接地している駆動推進Ｒされる。野菜Ａの栽培されている圃場の畝Ｂ間の左右溝Ｃ部に左右のクローラ１を位置させて、作業車を後進Ｒさせながら野菜栽培の管理作業を行うときは、下部の前下り傾斜部６が溝Ｃ部に案内されて回転進行され、溝Ｃ面に凹凸部があっても、この前下り傾斜面による乗り越えが円滑に行われる。又、この上方位置の後下り傾斜部５を回動されるクローラ１部が、畝Ｂ側端縁に位置する野菜に接触すると、このクローラ１の後進Ｒに伴ってこの後下り傾斜部５の側端縁で左右外側方へ分草するようになる。このため、端部転輪２を越えて前下り傾斜部６側への掻込みを阻止することができる。そして、各クローラ１の後進によって、これら端部転輪２から上転輪３にわたる後下り傾斜部５の左右両側端縁により、左右畝Ｂ部上の野菜Ａを左右外側方へ掻き分けるようにして推進し、この野菜Ａを踏付けないようにするものである。
【００１１】
前記クローラ１の後下り傾斜部５や前下り傾斜部６等は、クローラ１の後進Ｒ方向の後側に形成するが、この作業車のクローラ１の前側に形成することもできる。この前側に形成する形態では前側方向を後進方向として作業走行する。又、このクローラ１の後進Ｒ側と前進Ｆ側とに各傾斜部５，６と端部転輪２を設けて、前後対称形態に構成することもできる。この形態では前進Ｆ、及び後進Ｒのいずれの進行においても作業できる形態とする。又、図例では上転輪３を、クローラ１駆動用の駆動スプロケットの構成としたが、例えば、後端部の端部転輪２７部を駆動スプロケットとする形態では、前記図例のスプロケット３を単なる転輪形態とすることができる。
【図面の簡単な説明】
【００１２】
【図１】クローラ後端部の側面図
【図２】その背面図と、一部の背断面図
【図３】高床作業車の側面図
【図４】その平面図
【図５】その背面図
【符号の説明】
【００１３】
１    クローラ
２    端部転輪
３    上転輪
４    下転輪
５    後下り傾斜部
６    前下り傾斜部
【図１】
2006111033.tif 000003
【図２】
2006111033.tif 000004
【図３】
2006111033.tif 000005
【図４】
2006111033.tif 000006
【図５】
2006111033.tif 000007